(57)【特許請求の範囲】
【請求項１】
著作権保護された映像情報、前記映像情報の記録再生を制御する制御情報、および前記映像情報に関する付加情報として前記映像情報のタイトル情報又は静止画情報を含み、圧縮された圧縮映像情報を入力する映像情報入力手段と、
前記圧縮映像情報を伸長手段を介して映像情報としてモニターに再生する再生手段と、
通常再生状態では前記再生手段に前記映像情報を再生させ、一時的に再生を中断する場合に、前記制御情報を確認し、記録が可能である場合に、前記再生を中断した以降の前記映像情報、前記制御情報、および前記付加情報を記録媒体への記録を行い、前記再生を再開する際に記録した日付時間または再生した回数から再生可能かを判断し、再生が可能と判断した場合に前記再生手段に前記映像情報の再生を許可する再生制御手段と、
前記映像情報を再生する際に、記録した日付時間または再生した回数から再生可能かを判断し、一回のみの再生や所定の回数再生してしまい前記映像情報の再生禁止であると前記再生制御手段が判断した場合、前記制御情報および前記付加情報のみを残し、前記制御情報を再生禁止に変更し、前記映像情報を前記記録媒体から消去する、または前記映像情報を再生出来ないようにする再生禁止手段と、
前記映像情報を前記制御情報に基づいて再生するまでの間、前記付加情報としての前記タイトル情報又は静止画情報を前記モニターに表示すると共に、一回のみの再生や所定の回数再生してしまい前記映像情報の再生禁止であると前記再生制御手段が判断した場合、表示した前記付加情報としての前記タイトル情報又は静止画情報を前記モニター上から削除する一方、再生すべき期間または回数を過ぎても再生を行っていない場合には、前記モニターに表示した前記付加情報としての前記映像情報のタイトル情報又は静止画情報を前記モニター上から削除しないで、期限が切れていることをユーザに表示する付加情報表示手段と、
を有することを特徴とする記録再生装置。
【請求項２】
著作権保護された映像情報、前記映像情報の記録再生を制御する制御情報、および前記映像情報に関する付加情報として前記映像情報のタイトル情報又は静止画情報を含み、圧縮された圧縮映像情報を入力する映像情報入力ステップと、
前記圧縮映像情報を伸長手段を介して映像情報としてモニターに再生する再生ステップと、
通常再生状態では前記再生手段に前記映像情報を再生させるステップと、
一時的に再生の中断を指示された際に、前記制御情報を確認し、記録が可能である場合に、前記再生を中断した以降の前記映像情報、前記制御情報、および前記付加情報を記録媒体への記録を行い、前記再生を再開する際に記録した日付時間または再生した回数から再生可能かを判断し、再生が可能と判断した場合に前記再生手段に前記映像情報の再生を許可する再生制御ステップと、
前記映像情報を再生する際に、記録した日付時間または再生した回数から再生可能かを判断し、一回のみの再生や所定の回数再生してしまい前記映像情報の再生禁止であると判断された場合、前記制御情報および前記付加情報のみを残し、前記制御情報を再生禁止に変更し、前記映像情報を前記記録媒体から消去する、または前記映像情報を再生出来ないようにする再生禁止ステップと、
前記映像情報を前記制御情報に基づいて再生するまでの間、前記付加情報としての前記タイトル情報又は静止画情報を前記モニターに表示すると共に、一回のみの再生や所定の回数再生してしまい前記映像情報の再生禁止であると判断された場合、表示した前記付加情報としての前記タイトル情報又は静止画情報を前記モニター上から削除する一方、再生すべき期間または回数を過ぎても再生を行っていない場合には、前記モニターに表示した前記付加情報としての前記映像情報のタイトル情報又は静止画情報を前記モニター上から削除しないで、期限が切れていることをユーザに表示する付加情報表示ステップと、
を有することを特徴とする記録再生方法。
【発明の詳細な説明】
【０００１】
【発明の属する技術分野】
本発明は、著作権保護された映像情報等を再生または伝送する記録再生装置及び情報伝送媒体やシステムに関し、例えばＤＶＤ−ＲＡＭ、ＤＶＤ−ＲＷ、ＤＶＤ−Ｒ（ＤＶＤライトワンス（ＷＯ））、光磁気ディスク等の光ディスクを用いて情報の記録再生を行うディスク記録再生装置、特に、磁気ディスク等の媒体が装置から取り出し出来ない磁気記録媒体を用いて情報の記録再生を行う磁気記録再生装置等に設けて好適な記録再生装置及び情報伝送媒体に関し、特に著作権保護された映像情報等を後で再生する等のタイムシフトを行う場合に最適な記録再生装置および記録再生方法に関する。
【０００２】
【従来の技術】
従来、ＭＰＥＧ等の圧縮技術を用いた画像データや音声データ等の所定のデータに圧縮した信号を、デジタル衛星やインターネットのディジタル回線等を用いて各コンテンツに対して著作権保護されている有料な情報を入力し、これを伸長処理して記録再生を行う記録再生装置が開発されつつある。
【０００３】
【発明が解決しようとする課題】
ここで、著作権保護されている有料な情報はコピーが禁止されていて記録することが出来ないから、有料な情報を入手する契約を行っているにも関わらず、ユーザーが見たいときにこの有料情報を見れないと言う問題がある。
本発明は、上述の課題に鑑みてなされたものであり、著作権保護された情報であっても、一時的に記録媒体に記録し所定の時間や再生回数の間は再生可能にすることを目的とする。
【０００４】
【課題を解決するための手段】
本発明は上述の問題点を解決するために、著作権保護された映像情報、前記映像情報の記録再生を制御する制御情報、および前記映像情報に関する付加情報として前記映像情報のタイトル情報又は静止画情報を含み、圧縮された圧縮映像情報を入力する映像情報入力手段と、前記圧縮映像情報を伸長手段を介して映像情報としてモニターに再生する再生手段と、通常再生状態では前記再生手段に前記映像情報を再生させ、一時的に再生を中断する場合に、前記制御情報を確認し、記録が可能である場合に、前記再生を中断した以降の前記映像情報、前記制御情報、および前記付加情報を記録媒体への記録を行い、前記再生を再開する際に記録した日付時間または再生した回数から再生可能かを判断し、再生が可能と判断した場合に前記再生手段に前記映像情報の再生を許可する再生制御手段と、前記映像情報を再生する際に、記録した日付時間または再生した回数から再生可能かを判断し、一回のみの再生や所定の回数再生してしまい前記映像情報の再生禁止であると前記再生制御手段が判断した場合、前記制御情報および前記付加情報のみを残し、前記制御情報を再生禁止に変更し、前記映像情報を前記記録媒体から消去する、または前記映像情報を再生出来ないようにする再生禁止手段と、前記映像情報を前記制御情報に基づいて再生するまでの間、前記付加情報としての前記タイトル情報又は静止画情報を前記モニターに表示すると共に、一回のみの再生や所定の回数再生してしまい前記映像情報の再生禁止であると前記再生制御手段が判断した場合、表示した前記付加情報としての前記タイトル情報又は静止画情報を前記モニター上から削除する一方、再生すべき期間または回数を過ぎても再生を行っていない場合には、前記モニターに表示した前記付加情報としての前記映像情報のタイトル情報又は静止画情報を前記モニター上から削除しないで、期限が切れていることをユーザに表示する付加情報表示手段と、を有する記録再生装置である。
また、次の発明では、著作権保護された映像情報、前記映像情報の記録再生を制御する制御情報、および前記映像情報に関する付加情報として前記映像情報のタイトル情報又は静止画情報を含み、圧縮された圧縮映像情報を入力する映像情報入力ステップと、前記圧縮映像情報を伸長手段を介して映像情報としてモニターに再生する再生ステップと、通常再生状態では前記再生手段に前記映像情報を再生させるステップと、一時的に再生の中断を指示された際に、前記制御情報を確認し、記録が可能である場合に、前記再生を中断した以降の前記映像情報、前記制御情報、および前記付加情報を記録媒体への記録を行い、前記再生を再開する際に記録した日付時間または再生した回数から再生可能かを判断し、再生が可能と判断した場合に前記再生手段に前記映像情報の再生を許可する再生制御ステップと、前記映像情報を再生する際に、記録した日付時間または再生した回数から再生可能かを判断し、一回のみの再生や所定の回数再生してしまい前記映像情報の再生禁止であると判断された場合、前記制御情報および前記付加情報のみを残し、前記制御情報を再生禁止に変更し、前記映像情報を前記記録媒体から消去する、または前記映像情報を再生出来ないようにする再生禁止ステップと、前記映像情報を前記制御情報に基づいて再生するまでの間、前記付加情報としての前記タイトル情報又は静止画情報を前記モニターに表示すると共に、一回のみの再生や所定の回数再生してしまい前記映像情報の再生禁止であると判断された場合、表示した前記付加情報としての前記タイトル情報又は静止画情報を前記モニター上から削除する一方、再生すべき期間または回数を過ぎても再生を行っていない場合には、前記モニターに表示した前記付加情報としての前記映像情報のタイトル情報又は静止画情報を前記モニター上から削除しないで、期限が切れていることをユーザに表示する付加情報表示ステップと、を有する記録再生方法である。
【０００５】
【発明の実施の態様】
（Ａ）第１の実施例の構成及び全体的な動作
まず、本発明に係る記録再生装置は、図１に示すようなＨＤＤ記録再生装置に適用することができる。この本発明の第１の実施例となるＨＤＤ記録再生装置は、トラックに対して、例えば静止画、動画、音声、音楽、サブピクチャー等の所望のデータの記録再生を行うようになっている。
【０００６】
具体的には、磁気ヘッド２によりディスク１上に記録磁界を形成し、ディスク１上にデータを記録し再生するようになっている。記録/再生されるデータは、セクタで構成されている。この１セクタは、２０４８バイトのデータと、対応するアドレスデータ等との、計２０６４バイトで構成されている。そして、１６セクタで１つのＥＣＣブロック（ＥＣＣ：誤り訂正）が構成されている。
【０００７】
例えば、リモートコントローラ等の操作部４（ＫＥＹ）は、ユーザの操作に応じて記録再生の指令を出すようになっている。システムコントローラ５（ＳＹＳＴＥＭ  ＣＯＮＴ）は、この操作部４からの指令を判断して、信号処理部６、サーボプロセッサ７（ＳＥＲＶＯ）、スイッチ（ＳＷ）１２を制御する。
【０００８】
プリアンプ８（ＰＡＭＰ）は、磁気ヘッド２により読み出された再生出力に基づいて、再生信号とサーボ信号を生成する。サーボプロセッサ７は、プリアンプ８で形成されたサーボ信号に基づいてトラッキング信号を生成し、これをドライバ３に供給する。ドライバ３は、トラッキング信号に基づいて、磁気ヘッド２のアクチュエータを駆動してトラッキングを制御する。
【０００９】
このような磁気ヘッド２→プリアンプ８→サーボプロセッサ７→ドライバ３→磁気ヘッド２の各信号の流れにより、磁気ヘッド２のトラッキングがサーボ制御されている。
なお、スピンドルモータＭにはホール素子（図示せず）が設けられており、このホール素子からの回転位置信号がドライバ３を介してサーボプロセッサ７に帰還されるようになっている。サーボプロセッサ７は、この回転位置信号から生成した速度信号に基づいて、ドライバ３を介してスピンドルモータＭを一定の回転数に制御している。
【００１０】
プリアンプ８は、イコライザで再生信号の周波数特性を最適化してＰＬＬ回路の引き込みを行う。また、プリアンプ８は、ＰＬＬ回路のビットクロックと、データの時間軸の比較に基づいてジッタ値を生成するジッタ生成回路を有している。システムコントローラ５は、このジッタ生成回路で生成されたジッタ値をＡ／Ｄ変換して取り込み、このジッタ値に基づいて記録時における前記波形補正回路の補正量を変更するように構成されている。
【００１１】
また、プリアンプ８は、ＰＬＬ回路で生成したディスクの速度信号をサーボプロセッサ７に供給し、この速度信号により、スピンドルモータＭを介してディスク１を一定に回転制御している。
【００１２】
信号処理回路６は、プリアンプ８から出力される再生信号をデジタル信号に変換し、このデジタル信号を同期検出すると共に、この再生出力を、ディスク１上に記録された際の記録信号をデコードし、前記した１ＥＣＣブロック単位でエラー訂正処理を行い、各セクタのアドレス信号とデータ信号を得る。信号処理回路６に接続された、例えば、６４ＭビットのＤＲＡＭであるトラックバッファ９（ＴＢ）は、このアドレス信号とデータ信号を記憶し、映像信号の可変転送レートの時間軸の吸収を行う。
【００１３】
トラックバッファ９から読み出された信号は、制御情報や付加情報を除いて再生すべき映像信号のみを切り出しエンコーダ／デコーダ１０（ＡＶ  ＥＮＤＥＣ）に供給される。ＡＶ  ＥＮＤＥＣ１０は、この信号を、例えば、６４ＭビットのＤＲＡＭであるバッファメモリ１１に一時的に記憶すると共に適宜読み出し、その信号が記録された記録モード（後述）を、ディスク１上に記録されているコントロールデータに基づいて検出し、この検出した記録モードに対応して、該信号を伸長する速度を決定する。そして、この伸長速度に従って、複数のＥＣＣブロックからなる１ＧＯＰ（グループオブピクチャー）のＭＰＥＧ２のデータからオーディオ信号及びビデオ信号に伸長処理し、オーディオ信号及びビデオ信号に分離して、それぞれ図示しないＤ／Ａコンバータによりアナログ化して出力する。
【００１４】
ＡＶ  ＥＮＤＥＣ１０から出力されたオーディオ信号（Ａ）はスイッチ（ＳＷ）１２の端子Ａ１を介してオーディオアンプ１３に入力され、所定の信号レベルまで増幅された後、スピーカ１４にて再生され、一方、ＡＶ  ＥＮＤＥＣ１０から出力されたビデオ信号（Ｖ）はスイッチ（ＳＷ）１２の端子Ａ２を介してＮＴＳＣエンコーダ１５に入力され、ＮＴＳＣ方式の標準テレビジョン信号に準拠した信号変換されてディスプレイであるモニターまたはテレビジョン受像機（ＴＶ）１６に供給され表示される。また、後述するように一時記憶しているコンテンツのアイコンもディスプレイであるモニターまたはテレビジョン受像機（ＴＶ）１６に供給され表示される。
【００１５】
アンテナ１７にて受信されるディジタル放送波信号やインターネットやケーブルＴＶ網２０に入力される信号は、図４に示すように以下のパケット単位で入力される。
映像情報Ａの制御情報
再生を制御するための制御情報
映像情報Ａの仕様
映像のタイトル、著作権情報
コピー管理情報  許可禁止（記録禁止、１回のみＯＫ、所定回数ＯＫ）
伝送した日付時間
映像情報Ａの付加情報
映像情報Ａのタイトル
情報源情報
伝送チャンネル、情報提供者、アドレスＵＲＬ、伝送した日付時間
映像情報
コンテンツコード、種類、固体番号、主サブピクチャー、短時間映像
主人公、主演、競演、俳優、原作、監督、音楽、演出
著作権情報
コピー許可禁止（記録禁止、１回のみＯＫ）
【００１６】
アンテナ１７にて受信されたディジタル放送波信号はＴＶチューナ１８にて受信されたＭＰＥＧ等で圧縮されたオーディオ信号・ビデオ信号を含むパケットは、ＡＶ入力変換部１９の一方の入力端子に供給され、一方、インターネットやケーブルＴＶ網２０に接続されたケーブル変換器（モデム）２１にて選択受信されたオーディオ信号・ビデオ信号はＡＶ入力変換部１９の他方の入力端子に供給される。ＡＶ入力変換部１９ではＴＶチューナ１８からのパケット信号（オーディオ信号・ビデオ信号）と、ケーブル変換器（モデム）２１からのパケット信号（オーディオ信号・ビデオ信号）をＨＤＤに記録する場合に必要なファーマットに変換するファーマット変換を行い、それを選択切換されてそれぞれスイッチ１２の端子（端子Ｂ１、端子Ｂ２）に供給されるとともに、ＡＶ  ＥＮＤＥＣ１０にも供給される。
【００１７】
なお、スイッチ（ＳＷ）１２はシステムコントローラ５より供給される制御信号により選択切換できるように構成されており、通常再生時にＤＩＳＣ１で再生されたオーディオ信号・ビデオ信号を再生する際は端子Ａ１およぴ端子Ａ２に選択切換され、アンテナ１７にて受信された放送波信号や、インターネットやケーブルＴＶ網の信号を見る場合は端子Ｂ１および端子Ｂ２に選択切換される。
【００１８】
（Ｂ）記録動作
上述した本発明の実施例であるＨＤＤ記録再生装置では、例えば、伝送されるパケットの転送レートが８Ｍｂｐｓの信号を２時間分記録可能な高画質モード、転送レートが４Ｍｂｐｓの信号を４時間分記録可能な中間画質モード、転送レートが２Ｍｂｐｓの信号を８時間分記録可能な普通画質モード等の種類の異なる転送レートでの記録が可能となっている。
【００１９】
このため、システムコントローラ５は、ユーザに対して記録モードの選択材料を示すべく、記録制御に先だって、各記録モード（各転送レート）に対応するディスク１上の記録可能領域及び記録不可能領域を判断し、各記録モードでの記録時間及び（又は）容量を表示する。そして、この表示に基づいてユーザにより選択された記録モードに対応する記録可能領域に対してデータの記録を行う。
【００２０】
具体的には、各記録モードでの記録時間及び（又は）容量を表示する場合、システムコントローラ５は、ディスク１の管理領域中に記録されているデータ領域（記録済み領域）の開始アドレスと終了アドレスをトラックバッファ９に読み出し制御し、このデータ領域の開始アドレスと終了アドレスの間隔（＝空き領域の容量）から、空き領域の開始アドレスと終了アドレスを特定し、各空き領域の容量を計算し位置と共に記憶する。これを繰り返し全ての空き領域の容量を計算し位置情報と共に記憶する。
【００２１】
次に、それぞれの記録すべき２、４、８Ｍｂｐｓの３種類の転送レートの場合において、独立した各空き領域の容量が各転送レートにおいて、連続記録又は連続再生が可能であるか否かを演算する。
【００２２】
シーク時間については、ディスクがＣＬＶ制御なので、アドレス間のアドレス差を計算し、システムコントローラ５のＲＯＭに記憶されているシークテーブルを参照することにより、アドレス差に基づいたトラック移動本数を求める。これに所定の係数演算をすることによって、シーク時間を計算する。または、シーク時間につていは、その装置によって所定の一定値として計算しても良い。
【００２３】
次に、このようにして記録すべき信号の種類を選択し、記録モード（転送レート）の設定がなされ、記録開始が指示されると、システムコントローラ５は、ユーザにより設定された記録モード（転送レート）をＡＶ  ＥＮＤＥＣ１０に設定する。また、磁気ヘッド２を介してディスク１上に制御し、磁気ヘッド２内のアドレス再生回路で検出されるアドレス信号の取り込みを行う。システムコントローラ５は、このアドレス信号に基づいて、サーボプロセッサ７及びドライバ３を介して記録を行うセクタに磁気ヘッド２を移動制御し、このアドレスで磁気ヘッド２を待機状態に制御する。
【００２４】
ＡＶ  ＥＮＤＥＣ１０は、バッファメモリ１１に対して書き込み／読み出し制御しながら、記録すべき映像信号（及び音声信号）をＧＯＰ単位にＭＰＥＧ圧縮処理し、システムコントローラ５により設定された転送レートに従って、トラックバッファ９の「ＦＵＬＬ」と「ＥＭＰＴＹ」の値をそれぞれ設定する。この「ＦＵＬＬ」及び「ＥＭＰＴＹ」の値は、トラックバッファ９に書き込まれるデータの上限値及び下限値をそれぞれ示す値である。
【００２５】
信号処理回路６は、ＡＶ  ＥＮＤＥＣ１０により圧縮処理されたデータを所定の記録単位毎にトラックバッファ９に書き込み制御し、トラックバッファ９に書き込んだデータのデータ量が前記「ＦＵＬＬ」の値になったタイミングで、トラックバッファ９に書き込まれたデータの読み出しを開始し、セクタアドレス、シンク信号、エラー訂正コードを付加しＥＣＣブロック単位のデータとする。そして、このデータを、例えば「２５Ｍｂｐｓ」の転送レートで磁気ヘッド２に転送する。
【００２６】
磁気ヘッド２は、トラックバッファ９から読み出されたデータが供給されるまでの間は、記録すべきトラック上で待機状態（キック待ちの状態）に制御されており、データが供給されるとこの待機状態が解除され、目的の記録トラックに対してデータの記録を行う。
【００２７】
次に、トラックバッファ９において、データの読み出しを行っている間にもＡＶ  ＥＮＤＥＣ１０からのデータの書き込みを行っているのであるが、この書き込まれるデータの転送レートは例えば８Ｍｂｐｓであるのに対し、読み出されるデータの転送レートは前記２５Ｍｂｐｓである。このため、トラックバッファ９に対する書き込み速度よりも読み出し速度の方が速いこととなるため、前記書き込みを行っていても、トラックバッファ９に記憶されるデータのデータ量は徐々に減少し、前記「ＥＭＰＴＹ」の値となる。
【００２８】
システムコントローラ５は、トラックバッファ９に書き込まれたデータのデータ量が「ＥＭＰＴＹ」の値となると、該トラックバッファ９からのデータの読み出しを停止制御すると共に、磁気ヘッド２も、次に記録すべきトラック上で待機状態（キック待ちの状態）に制御する。そして、この読み出しが行われない状態でデータの書き込みが行われることで、トラックバッファ９のデータ量が前記「ＥＭＰＴＹ」の値となったタイミングでデータの読み出しを再開する。システムコントローラ５は、トラックバッファ９に対してこのような書き込み及び読み出し制御を行いながらデータを記録制御することで、ディスク１に対して間欠的に記録を行いながらも、入力されるデータの連続性を確保したうえで記録を行っている。
【００２９】
（Ｃ）再生動作
再生モードとなると、システムコントローラ５は、ディスク１上の管理領域に記録されているデータ領域（記録済み領域）の開始アドレス及び終了アドレスに基づいて、間欠的に記録されているそのデータの記録位置を検索し、それぞれ順に再生するように磁気ヘッド２を移動再生制御する。
【００３０】
また、システムコントローラ５は、この再生信号のうち、映像信号のコントロールデータ中に記録されている、そのデータが記録された際の圧縮レートを検出し、この圧縮レートに対応するように、前記「ＦＵＬＬ」と「ＥＭＰＴＹ」の値をそれぞれトラックバッファ９に対して設定する。
【００３１】
ディスク１から再生されたデータは、前記２５Ｍｂｐｓの転送レートでトラックバッファ９に転送され書き込まれる。システムコントローラ５は、トラックバッファ９の記憶容量の残量を監視しており、残量が「ＥＭＰＴＹ」となったタイミングでトラックバッファ９に書き込まれたデータを、そのデータの記録時における転送レートで読み出し制御し、これをＡＶ  ＥＮＤＥＣ１０に供給する。
【００３２】
また、残量が「ＦＵＬＬ」となったタイミングで、磁気ヘッド２を待機状態（キック待ちの状態）に制御し、トラックバッファ９からデータの読み出し制御のみを行う。そして、トラックバッファ９からデータの読み出しのみを行うことで、前記残量が「ＥＭＰＴＹ」となったタイミングで、データの再生を再開するように光学ヘッド２を再生制御する。これにより、ディスク１上から間欠的にデータを再生しながらも、トラックバッファ９から再生されるデータを連続的に再生することができ、データの連続性を確保した再生を行うことができる。
【００３３】
ＡＶ  ＥＮＤＥＣ１０は、トラックバッファ９から読み出されたデータをバッファメモリ１１に対して書き込み／読み出し制御しながらＭＰＥＧ伸長処理等を施すことにより、映像データと音声データを分離形成し、これらを図示しないＤ／Ａ変換器を介して出力する。これにより、ディスク１上に記録した連続的な映像及び音声を例えばテレビジョン受像機１６を介して視聴することができる。
【００３４】
ここで本発明の実施例の処理を図２示すフローチャートに従って説明する。必要に応じて、外部から情報の入力として、映像情報Ａ、映像情報Ａの制御情報、映像情報Ａの付加情報を入力する（ステップ１００）。
【００３５】
そして、再生指示状態かを判断し（ステップ１１０）、再生指示状態の時（ステップ１００でＹの場合）は、パケット情報に従って、映像情報Ａのみを抽出してＡＶ  ＥＮＤＥＣ１０から再生すると共に、その時に、映像情報Ａの制御情報を読み出し、解読し、一時記憶手段（ここではＨＤＤ）に映像情報Ａの制御情報であるコピー管理情報に従って、一度再生したことと、タイトルとコンテンツ固体番号と、再生した日付等を記録して履歴として今後の管理に用いることとする（ステップ１２０）。
【００３６】
次に、再生指示でない場合（ステップ１１０でＮの場合）、例えば、再生中に電話があった等で席を外す場合に、入力している情報Ａを一時記憶指示状態であるかどうかを判断し（ステップ１３０）、ＨＤＤに一時記憶する時には、記録再生装置ＨＤＤから映像情報Ａの記録再生制御情報の履歴を検索して、検索結果から一時記憶可能かを判断する、例えば、過去に映像情報Ａの制御情報として記録時に残してある再生を行ったかの履歴情報を調査し、過去の所定期間日付内に再生を行っている場合には再生出来ない、または所定回数再生した場合には再生出来ない等を判定する（ステップ１４０）。
【００３７】
一時記憶可能な場合（ステップ１４０でＹの場合）は、映像情報Ａと映像情報Ａの制御情報と映像情報Ａの付加情報を一時記憶手段（ここではＨＤＤ）の所定の領域にそれぞれ記録する。この時、コピー管理情報によって、この情報が再生する場合の期間が限定されている場合は、この装置が機能として［いる］持っている日付時計手段による時間情報を同時に記録し、情報Ａの時間管理を開始する（ステップ１５０）。
【００３８】
次に、記録した映像情報Ａの付加情報を読み出し（読み出すのはＨＤＤに記録した情報でもＴＢ９の情報でもよい）これを解釈し、付加情報としてこのコンテンツＡ情報のタイトル他をＡＶ  ＥＮＤＥＣ１０を介してディスプレイ表示部１６にタイトル、サムネイル等を図３に示すように表示（アイコンのように）し、再生すべき情報がＨＤＤの中に存在していることの表示を行う。この一時記憶コンテンツが多くなると、複数のサムネイルが画面に入りきらないので、図３に示すようにリスト及びボタン表示のようにして、大きさを縮小してもよい（ステップ１６０）。図３の左下の図は、１つのコンテンツの代表的な画面の静止画等を示すサムネイルとして、タイトル情報、入力したチャンネル、記録した日付時間、コンテンツの提供メーカーの情報（コマーシャル）（この情報を表示することによりコンテンツ送出側はコマーシャルのよって収益を得ることが出来るのでコンテンツによる課金金額を少なくすることが出来る）等の情報からなる。このサムネイルはこの主情報である映像情報とリンクしていて、この情報を選択することにより、この主情報である映像情報を再生することが出来る。このサムネイル情報は、記録動作を続けていくと増加していくので、表示画面から逸脱しないように、所定の画面より増える場合には、図３の右下のように、再生ボタン、タイトル、記録日等のリストに変更する。これにより、多くの再生途中の情報を管理することが出来る。
【００３９】
次に、ＫＥＹ４またはアイコン入力位置をマウス等又はリモコン等のプレイやポーズ解除等入力手段で、ＨＤＤに記録されているコンテンツＡを再生する場合は、アイコン等で再生すべきコンテンツをユーザーが選択し（ステップ１７０）、再生指示状態かを判断し（ステップ１８０）、Ａ情報の記録した時間と現在時間を比較し、時間制限を超えているか、または記録してある再生回数に対して再生回数制限になるかを比較し（ステップ１９０）、超えていないつまり再生許可の場合（ステップ１９０でＮの場合）は、ＨＤＤ上の映像情報Ａのみを読み出し、ＡＶ  ＥＮＤＥＣ１０を介してモニター１６に表示再生を行い、再生後にはＨＤＤ上の映像情報Ａの制御情報を更新し、いつ一回再生したかを記録する（ステップ２００）。
【００４０】
また、一回のみの再生や所定の回数を再生してしまい再生禁止の場合（ステップ１９０でＹの場合）は、ＨＤＤ上の映像情報Ａの制御情報を禁止に変更し、ＨＤＤ上の映像情報Ａの削除を行うと共に、表示した付加情報のタイトル、サムネイル等をモニター上から削除する。
【００４１】
この場合、再生すべき期間を過ぎても再生を行っていない場合では、有料情報であるにも関わらず情報を見ることが出来ないという問題があるので、この場合は、表示した付加情報のタイトル、サムネイル等をモニター上から削除しないで、期限が切れていることをユーザに表示すると共に、再度情報Ａを見るために、必要な情報源信号を表示したり、この情報源信号を用いてインターネット等の通信回線を介して、再度情報Ａを取りに行くことが出来るようにすることで、多忙なユーザの視聴権を維持することが出来る（ステップ２１０）。
【００４２】
そして、本発明は一例として説明した上述の実施例に限定されることはなく、上述の実施例以外であっても、本発明に係る技術的思想を逸脱しない範囲であれば、設計等に応じて種々の変更が可能であることは勿論である。
【００４３】
【発明の効果】
上述したように本発明は、著作権で記録出来ないようにされているコンテンツであっても、ユーザーが見たいときに、見ることが出来、また、制御情報により著作権も維持することが出来る。また、付加情報により、一時記憶している情報が表示されるので、ユーザーに分かり易く、一時記憶したコンテンツを忘れてしまうことを防止出来、また、期限が切れている情報であっても、情報源信号を保持しているので、再度見たいときに、情報源にアクセスすることにより、例えば新たに課金をすることによって、コンテンツを簡単に見ることが出来る効果を有する。
【図面の簡単な説明】
【図１】本発明の実施例の記録再生装置のブロック図である。
【図２】図１に示した記録再生装置の動作を説明するためのフローチャートである。
【図３】画面表示状態を説明するための図である。
【図４】パケットの構成を説明するための図である。
【符号の説明】
１…ディスク、
２…磁気ヘッド、
３…ドライバ、
４…操作部、
５…システムコントローラ、
６…信号処理部、
７…サーボプロセッサ、
８…プリアンプ、
９…トラックバッファ、
１０…エンコーダ／デコーダ（ＡＶ  ＥＮＤＥＣ）、
１１…バッファメモリ、
２０…記録再生装置、
２１…圧縮伸長処理装置、
【図１】
0004378866.tif 000002
【図２】
0004378866.tif 000003
【図３】
0004378866.tif 000004
【図４】
0004378866.tif 000005